(57)【要約】【課題】２つの室の分離部分で折り曲がることがないように立体的に形成し、２つの室を分離した状態で保存し、必要に応じて２つの室を連通させるための食品包装用袋。【課題を解決するための手段】２枚のプラスチックフィルム（１，２）の両端縁間に中仕切りフィルム（３）の両端縁を介在させてヒートシール縁（４，５）を形成すると共に中仕切りフィルム（３）とプラスチックフィルム（１，２）との間にヒートシール縁（４，５）と垂直なヒートシール部（１３）を形成して袋体（６）に２室（７，８）を備え、一方の室（７）に添加液を他方の室（８）に食材を充填させた後に袋体（６）を密封するために残りの端縁にヒートシール縁（１４，１５）を形成し、添加液側の室（７）を圧迫して中仕切りフィルム（３）のヒートシール部（１３）を剥離させることにより一方の室（７）と他方の室（８）とを連通可能にしたものである。【選択図】    図２
2004244054.tif 000002
【特許請求の範囲】
【請求項１】
２枚のプラスチックフィルムの両側縁間に中仕切りフィルムの両端縁を介在させてヒートシール縁を形成すると共に中仕切りフィルムと２枚のプラスチックフィルムとの間に前記ヒートシール縁と垂直なヒートシール部を形成して袋体に２室を備え、その一方の室に添加液を他方の室に食材を充填した後に袋体を密封するため残りの端縁にヒートシール縁を形成し、添加液側の室を圧迫して中仕切りフィルムのヒートシール部を剥離させることにより一方の室と他方の室とを連通可能にした食品包装用袋。
【発明の詳細な説明】
【０００１】
【産業上の利用分野】
本発明は保存中に変色または変質するために２種類の物質を分離したまま保存し、使用直前に２種類の物質を混合できるようにした食品包装用袋に関するもので、特に黒糖液と食塩水中のらっきょうとを分離して保存し、使用直前にらっきょうと黒糖液とを混合させるために使用する食品包装用袋に関するものである。
【０００２】
【従来の技術】
従来のこの種の食品包装用袋はラミネートフィルムを熱シールして作った袋体の中間部に熱シール部を形成して２室を形成し、２室内に充填した２つの物質を混合させるために中間部の熱シート部に容易に剥離できるような狭尖部を形成している（例えば、実公昭５９−２６８６号公報参照）。
【０００３】
また、２枚のプラスチックフィルムの両側縁間にそれらより幅の狭い仕切りフィルムの両側縁を挟んでヒートシール縁を形成し、仕切りフィルムを間にして２枚のプラスチックフィルムに２室を形成し、両側縁のヒートシール縁を強く引張ることにより仕切りフィルムを破断させて２つの室の物質を混合可能にさせているものもある（例えば、実開昭６３−７０９６９号公報参照）。
【０００４】
【特許文献１】
実公昭５９−２６８６号公報
【特許文献２】
実開昭６３−７０９６９号公報
【０００５】
【発明が解決しようとする課題】
従来の２つの室を分離するために袋の中間部をヒートシールしているものはヒートシール部が折れ曲がりやすく、取り扱いが悪い欠点があり、又２つの袋が連結しているだけで、一体感がなく、外観的に貧弱である。
【０００６】
更に、袋体の中間部に袋体のものとは別の仕切りフィルムを備え、仕切りフィルムを破断させることにより２つの室の物質を混合させるものは仕切りフィルムを薄いフィルムで形成すれば輸送中に積重ねられた袋体に引張り力が生じ仕切りフィルムが破損してしまうおそれがあり、又厚いフィルムで形成すれば人間の力では使用時に破断できないおそれがある。
【０００７】
本発明の目的は折れ曲がることがなく、立体的で取り扱いやすく、プラスチックフィルムを破断させることなく、一方向からのみ簡単にヒートシール部を剥離でき、２つの室を分離した状態で確実に保存でき、必要に応じて２つの室を簡単に連通できる食品包装用袋を提供することにある。
【０００８】
【問題点を解決するための手段】
本発明の食品包装用袋は２枚のプラスチックフィルムの両側縁間に仕切りフィルムの両端縁を介在させてヒートシール縁を形成すると共に中仕切りフィルムと２枚のプラスチックフィルムとの間に前記ヒートシール縁と垂直にヒートシール部を形成して袋体に２室を備え、その一方の室に添加液を他方の室の食材を充填した後に袋体を密封するため残りの端縁にヒートシール縁を形成し、添加液側の室を圧迫して中仕切りフィルムのヒートシール部を剥離させることにより一方の室と他方の室とを連通可能にしたものである。
【０００９】
【実施例】
図は黒糖液と食塩水中のらっきょうとを分離して保存し、使用直前に混合させるために使用する本発明の食品包装用袋を示したもので、表側プラスチックフィルム１と裏側プラスチックフィルム２との両側縁間に中仕切りフィルム３の両端縁を介在させてヒートシール縁４，５を形成し、２つのプラスチックフィルム１，２間に中仕切りフィルム３で袋体６に２つの室７，８を分離して形成できるようになっている。
【００１０】
中仕切りフィルム３はプラスチックフィルム１，２と同じ幅を有し、中間を長手方向に沿って折り畳んだ折り畳み片９，１０から成り、上方に閉鎖端１１を下方に開放端１２を備えている。ヒートシール縁４，５で両端部をプラスチックフィルム１，２に接合された中仕切りフィルム３はその一方の折り畳み片９を表側プラスチックフィルム１とヒートシールすると共に他方の折り畳み片１０を裏側プラスチックフィルム２とヒートシールすることによりヒートシール縁４，５と垂直なヒートシール部１３を形成している。
【００１１】
中仕切りフィルム３のヒートシール部１３によりプラスチックフィルム１，２間に一方の室７と他方の室８とを有する袋体６が形成され、一方の室７に添加液、すなわち黒糖液を充填しかつ他方の室８に食材、即ちらっきょうを充填させ、プラスチックフィルム１，２の残りの端縁、即ち上端縁と下端縁にヒートシール縁１４，１５を形成して袋体６を密封する。
【００１２】
中仕切りフィルム３のヒートシール部１３は閉鎖端１１側の室７からのみ剥離でき、そして室７と室８とを連通できるようにしてあるので、中仕切りフィルム３により仕切られた２つの室７，８の閉鎖端１１側の室７に添加液を充填させ、開放端１２側の室８には食材を充填させる。
【００１３】
使用直前に添加液と主食材を混合させるためには図４に示してある通り、中仕切りフィルム３で仕切った２つの室７，８の閉鎖端１１側の室７の上端縁のプラスチックフィルムをまるめながら押圧すると、室７が圧迫されて室７の添加液が中仕切りフィルム３のヒートシール部１３を剥離して室８に押し出され、そして室７と室８とを連通し、添加液と主食材とを混合させることができる。
【００１４】
本発明の実施例においては一方の室７に黒糖液を注入し、他方の室８にらっきょうを充填した食品包装用袋を示してあるが、本発明は例えば、一方の室７に浅漬の素又はキムチの素を注入し、他の室８にカット野菜を備えた食品包装用袋等の各種の２物品の食品包装用袋に適用することができる。
【００１５】
【発明の効果】
本発明の食品包装用袋は２つの室をヒートシールして分離するヒートシール部に中仕切りフィルムを設けてあるので、２つの室の中間部が薄くならず、立体的でしかも折り曲がることがなく、取り扱いが便利であり、プラスチックフィルムを破断させることなく、一方向からのみ簡単にヒートシール部を剥離でき、２つの室を分離した状態で確実に維持でき、そして必要に応じて一方の室と他方の室とを簡単に連通させることができる。
【図面の簡単な説明】
【図１】本発明の食品包装用袋の一部を断面で示した正面図である。
【図２】図１の中央縦断側面図である。
【図３】図２の斜視図である。
【図４】２つの室の物質の混合状態を示す中央縦断側面図である。
【符号の説明】
１      表側プラスチックフィルム
２      裏側プラスチックフィルム
３      中仕切りフィルム
４      ヒートシール縁
５      ヒートシール縁
６      袋体
７      室
８      室
９      折り畳み片
１０    折り畳み片
１１    閉鎖端
１２    開放端
１３    ヒートシール部
１４    ヒートシール縁
１５    ヒートシール縁
【図１】
2004244054.tif 000003
【図２】
2004244054.tif 000004
【図３】
2004244054.tif 000005
【図４】
2004244054.tif 000006